(57)【特許請求の範囲】
【請求項１】
第１端部（２３ａ）及び第２端部（２３ｂ）を有するクロスフローファン（２３）と、
ステータ（５１）、前記第１端部に固定されたアウタロータ（５２）、及び前記ステータに固定されたモータ軸（５３）を有するモータ（２４）と、
前記第１端部を回転可能に支持する第１軸受（６０）と、
前記第２端部を回転可能に支持する第２軸受（７０；７０Ａ）と、
を備えるファン組立体であって、
前記第１軸受は転がり軸受であり、
前記第１軸受は、内輪（６１）と、前記内輪に対して回転する外輪（６２）と、前記内輪及び前記外輪の両方に接触する転動体（６３）と、第１軸受弾性体（６４）と、を有し、
前記内輪は、前記モータ軸に固定されており、
前記外輪は、前記第１軸受弾性体を介して前記アウタロータに固定されており、
前記外輪は、
前記転動体に接触する金属製の第１外輪部材（６２１）と、
前記第１外輪部材を包囲する樹脂製の第２外輪部材（６２２）と、
を有し、
前記第１軸受弾性体は、前記第２外輪部材に接触し、
前記第２軸受は、滑り軸受（７０）であり、
前記第２軸受は、前記第２端部を直接的又は間接的に支持する第２軸受弾性体（７４；７４Ａ）を有する、ファン組立体（８０）。
【請求項２】
前記アウタロータは、凹部（２３ｒ）を有し、
前記第１軸受は、前記凹部に収容される、
請求項１に記載のファン組立体。
【請求項３】
前記第１軸受弾性体は、外力の印加を受けるとき、前記第１軸受弾性体の径方向に１ｍｍ以上潰れることができる、
請求項１又は請求項２に記載のファン組立体。
【請求項４】
前記第２外輪部材の軸方向長さは、前記第１外輪部材の軸方向長さよりも大きい、
請求項１から３のいずれか１項に記載のファン組立体。
【請求項５】
前記外輪の軸方向長さは、前記内輪の軸方向長さよりも大きい、
請求項１から４のいずれか１項に記載のファン組立体。
【請求項６】
第１端部（２３ａ）及び第２端部（２３ｂ）を有するクロスフローファン（２３）と、
ステータ（５１）、及び前記第１端部に固定されたアウタロータ（５２）、を有するモータ（２４）と、
前記第１端部を回転可能に支持する第１軸受（６０）と、
前記第２端部を回転可能に支持する第２軸受（７０；７０Ａ）と、
を備えるファン組立体であって、
前記第１軸受は転がり軸受であり、
前記第２軸受は転がり軸受（７０Ａ）であり、
前記第１軸受は、前記第１端部を直接的又は間接的に支持する第１軸受弾性体（６４）をさらに有し、
前記第２軸受は、前記第２端部を直接的又は間接的に支持する第２軸受弾性体（７４；７４Ａ）を有し、
前記第２軸受弾性体は、前記第１軸受弾性体よりも柔らかい、
ファン組立体（８０）。
【請求項７】
前記第１軸受は、内輪（６１）と、前記内輪に対して回転する外輪（６２）と、を有し、
前記モータは、前記ステータに固定されたモータ軸（５３）をさらに有し、
前記内輪は、前記モータ軸に固定されている、
請求項６に記載のファン組立体。
【請求項８】
前記クロスフローファンの前記第２端部には収容部（２３ｒ）が形成されており、
前記第２軸受は、前記収容部に収容される、
請求項６又は請求項７に記載のファン組立体。
【請求項９】
請求項１から８のいずれか１項に記載のファン組立体、
を備える空気調和機（１００）。
【発明の詳細な説明】
【技術分野】
【０００１】
ファン組立体及び空気調和機。
【背景技術】
【０００２】
特許文献１（特開２００４−３２４６３３号公報）には、クロスフローファンが開示されている。クロスフローファンの両端の軸は、いずれも樹脂製の滑り軸受によって支持されている。それぞれの滑り軸受はゴム製の軸受保持部によって支持されている。
【発明の概要】
【発明が解決しようとする課題】
【０００３】
より大きな風量を得るためには、より大きなクロスフローファンがより高速で回転させられる。大きなクロスフローファンは重いので、クロスフローファンの軸は、ゴム製の軸受保持部の歪みによって変位してしまう。この変位は、ガタツキ及び騒音の原因となり、ひいてはクロスフローファンの寿命を低下させる。
【課題を解決するための手段】
【０００４】
第１観点のファン組立体は、クロスフローファンと、モータと、第１軸受と、第２軸受と、を備える。クロスフローファンは、第１端部及び第２端部を有する。モータは、ステータ、及び第１端部に固定されたアウタロータ、を有する。第１軸受は、第１端部を回転可能に支持する。第２軸受は、第２端部を回転可能に支持する。第１軸受は転がり軸受である。第２軸受は、第２端部を直接的又は間接的に支持する第２軸受弾性体を有する。
【０００５】
この構成によれば、ファン組立体は、第１軸受及び第２軸受を有する。第１軸受は転がり軸受である。したがって、クロスフローファンの軸の変位が抑制されるので、騒音が抑制される。さらに、第２軸受は第２軸受弾性体によって支持される。したがって、ファン組立体の組立てが容易である。
【０００６】
第２観点のファン組立体は、第１観点のファン組立体であって、第２軸受が、滑り軸受である。
【０００７】
この構成によれば、第２軸受は、滑り軸受である。したがって、第２軸受が転がり軸受である場合と比較して、コストを抑えることができる。
【０００８】
第３観点のファン組立体は、第１観点又は第２観点のファン組立体であって、第１軸受が、内輪と、内輪に対して回転する外輪と、を有する。モータは、ステータに固定されたモータ軸をさらに有する。内輪は、モータ軸に固定されている。
【０００９】
この構成によれば、内輪はモータ軸に固定されている。したがって、第１軸受のモータに対する移動が抑制されるので、騒音が抑制される。
【００１０】
第４観点のファン組立体は、第３観点のファン組立体であって、第１軸受が、第１軸受弾性体を有する。外輪は、第１軸受弾性体を介してアウタロータに固定されている。
【００１１】
この構成によれば、外輪は第１軸受弾性体を介してアウタロータに固定されている。したがって、外輪のアウタロータに対する滑りが抑制されるので、外輪の焼き付きが抑制される。
【００１２】
第５観点のファン組立体は、第４観点のファン組立体であって、アウタロータが、凹部を有する。第１軸受は、凹部に収容される。
【００１３】
この構成によれば、第１軸受は、アウタロータの凹部に収容される。したがって、アウタロータによる第１軸受の保持が強固になる。
【００１４】
第６観点のファン組立体は、第４観点又は第５観点のファン組立体であって、第１軸受弾性体が、外力の印加を受けるとき、第１軸受弾性体の径方向に１ｍｍ以上潰れることができる。
【００１５】
この構成によれば、第１軸受弾性体は、径方向に１ｍｍ以上潰れることができる。したがって、転がり軸受がモータ軸を保持している状態において、第１軸受弾性体が振動を効果的に吸収する。
【００１６】
第７観点のファン組立体は、第４観点から第６観点のいずれか１つのファン組立体であって、第１軸受が、転動体をさらに有する。転動体は、内輪及び外輪の両方に接触する。外輪は、第１外輪部材と、第２外輪部材と、を有する。第１外輪部材は、転動体に接触する。第２外輪部材は、第１外輪部材を包囲する。第１軸受弾性体は、第２外輪部材に接触する。
【００１７】
この構成によれば、第１軸受弾性体は、第１外輪部材を包囲する第２外輪部材に接触する。したがって、第１軸受弾性体はモータ軸から径方向に離間した場所に位置するので、第１軸受弾性体は振動を効果的に吸収する。
【００１８】
第８観点のファン組立体は、第７観点のファン組立体であって、第１外輪部材は金属製であり、第２外輪部材は樹脂製である。
【００１９】
この構成によれば、第１外輪部材及び第２外輪部材が、それぞれ、金属製及び樹脂製である。したがって、第２外輪部材の重量が軽いので、クロスフローファンを回転させるのに必要なトルクが小さい。
【００２０】
第９観点のファン組立体は、第７観点又は第８観点のファン組立体であって、第２外輪部材の軸方向長さが、第１外輪部材の軸方向長さよりも大きい。
【００２１】
第１０観点のファン組立体は、第３観点から第９観点のいずれか１つのファン組立体であって、外輪の軸方向長さが、内輪の軸方向長さよりも大きい。
【００２２】
第１１観点のファン組立体は、第１観点又は第２観点のファン組立体であって、第１軸受が、内輪と、外輪と、を有する。外輪は、前記内輪に対して回転する。外輪は、ステータに固定されている。
【００２３】
この構成によれば、外輪はステータに固定されている。したがって、第１軸受のモータに対する移動が抑制されるので、騒音が抑制される。
【００２４】
第１２観点のファン組立体は、第１１観点のファン組立体であって、モータは、モータ軸をさらに有する。モータ軸は、アウタロータに固定される。第１軸受は、第１軸受弾性体を有する。内輪は、第１軸受弾性体を介してモータ軸に固定されている。
【００２５】
この構成によれば、内輪は第１軸受弾性体を介してモータ軸に固定されている。したがって、内輪のモータ軸に対する滑りが抑制されるので、内輪の焼き付きが抑制される。
【００２６】
第１３のファン組立体は、第１観点のファン組立体であって、第２軸受が転がり軸受である。
【００２７】
この構成によれば、第２軸受は転がり軸受である。したがって、第２軸受が滑り軸受である場合と比較して、ファン組立体の寿命が長い。
【００２８】
第１４観点のファン組立体は、第１３のファン組立体であって、第１軸受が、第１軸受弾性体をさらに有する。第１軸受弾性体は、第１端部を直接的又は間接的に支持する。第２軸受弾性体は、第１軸受弾性体よりも柔らかい。
【００２９】
この構成によれば、第２軸受弾性体は、第１軸受弾性体よりも柔らかい。したがって、第２軸受弾性体が変形するので、ファン組立体の組立てが容易である。
【００３０】
第１５観点のファン組立体は、第１３観点又第１４観点のファン組立体であって、第１軸受は、内輪と、外輪と、を有する。外輪は、内輪に対して回転する。モータは、モータ軸をさらに有する。モータ軸は、ステータに固定される。内輪は、モータ軸に固定されている。
【００３１】
この構成によれば、内輪はモータ軸に固定されている。したがって、第１軸受のモータに対する移動が抑制されるので、騒音が抑制される。
【００３２】
第１６観点に係るファン組立体は、第１３観点から第１５観点のいずれか１つのファン組立体であって、クロスフローファンの第２端部には収容部が形成されている。第２軸受は、収容部に収容される。
【００３３】
この構成によれば、第２軸受は、クロスフローファンの収容部に収容される。したがって、クロスフローファンによる第２軸受の保持が強固になる。
【００３４】
第１７観点の空気調和機は、第１観点から第１６観点のいずれか１つのファン組立体、を備える。
【００３５】
この構成によれば、空気調和機において、ファン組立体のがたつきによる騒音が低減される。
【図面の簡単な説明】
【００３６】
【図１】空気調和機１００の構成を示す図である。
【図２】第１実施形態に係るファン組立体８０の構造を示す図である。
【図３】第１実施形態に係るファン組立体８０の組立ての一工程を示す図である。
【図４】第１軸受６０の断面図である。
【図５】第１実施形態の変形例１Ａに係るファン組立体８０に搭載される第１軸受６０の断面図である。
【図６】第１実施形態の変形例１Ｃに係るファン組立体８０’の構造を示す一部切欠分解図である。
【図７】第１実施形態の変形例１Ｃに係るファン組立体８０’の構造を示す一部切欠斜視図であるある。
【図８】ファン組立体８０’の第２外輪部材６２２を示す斜視図である。
【図９】ファン組立体８０’の第１軸受弾性体６４を示す斜視図である。
【図１０】第２実施形態に係るファン組立体８０の構造を示す図である。
【図１１】第２実施形態に係るファン組立体８０の組立ての一工程を示す図である。
【図１２】第２実施形態の変形例２Ａに係るファン組立体８０の組立ての一工程を示す図である。
【図１３】第３実施形態に係るファン組立体８０の構造を示す図である。
【図１４】第３実施形態の変形例３Ａに係るファン組立体８０の構造を示す図である。
【発明を実施するための形態】
【００３７】
＜第１実施形態＞
（１）全体構成
図１は、第１実施形態に係るファン組立体８０を搭載する空気調和機１００である。空気調和機１００は、室外ユニット１０、室内ユニット２０、連絡配管３０を有する。ファン組立体８０は室内ユニット２０に搭載される。
【００３８】
（２）空気調和機１００の詳細構成
（２−１）室外ユニット１０
室外ユニット１０は、熱源として機能する。室外ユニット１０は、圧縮機１１、四路切換弁１２、室外熱交換器１３、室外ファン１４、室外膨張弁１５、液閉鎖弁１７、ガス閉鎖弁１８、室外制御部１９、を有する。
【００３９】
（２−１−１）圧縮機１１
圧縮機１１は、低圧ガス冷媒を圧縮することによって高圧ガス冷媒を生み出す。圧縮機１１は圧縮機モータ１１ａを有する。圧縮機モータ１１ａは、冷媒を圧縮するための動力を発生させる。高圧ガス冷媒は、矢印Ｄで示される方向に圧縮機１１から吐出される。
【００４０】
（２−１−２）四路切換弁１２
四路切換弁１２は、冷媒の循環方向を切り替える。冷房運転の場合、四路切換弁１２は実線で示す接続を構成し、それによって冷媒を矢印Ｃで示す方向に流す。暖房運転の場合、四路切換弁１２は破線で示す接続を構成し、それによって冷媒を矢印Ｈで示す方向に流す。
【００４１】
（２−１−３）室外熱交換器１３
室外熱交換器１３は、冷媒と空気の間で熱交換を行う。冷房運転の場合、室外熱交換器１３は放熱器又は凝縮器として機能する。暖房運転の場合、室外熱交換器１３は吸熱器又は蒸発器として機能する。室外熱交換器１３は、分流器１３ａを有する。
【００４２】
（２−１−４）室外ファン１４
室外ファン１４は、空気流を発生させることによって、室外熱交換器１３における冷媒と空気の間の熱交換を促進する。室外ファン１４は、室外ファンモータ１４ａによって駆動される。
【００４３】
（２−１−５）室外膨張弁１５
室外膨張弁１５は、冷媒を減圧する。室外膨張弁１５は、開度調節の可能な電動式の弁である。
【００４４】
（２−１−６）液閉鎖弁１７
液閉鎖弁１７は、設置作業者の操作により、冷媒流路を閉鎖することができる。
【００４５】
（２−１−７）ガス閉鎖弁１８
ガス閉鎖弁１８は、設置作業者の操作により、冷媒流路を閉鎖することができる。
【００４６】
（２−１−８）室外制御部１９
室外制御部１９は、室外ユニット１０内のセンサから値を読み取る。さらに、室外制御部１９は、室外ユニット１０内のアクチュエータを制御する。室外制御部１９によって制御されるアクチュエータは、圧縮機モータ１１ａ、四路切換弁１２、室外ファンモータ１４ａ、室外膨張弁１５などである。室外制御部１９は、例えば、マイクロコンピュータ及びメモリを含む。
【００４７】
（２−２）室内ユニット２０
室内ユニット２０は、ユーザに冷熱又は温熱を提供する。室内ユニット２０は、室内熱交換器２２、ファン組立体８０、室内制御部２９を有する。
【００４８】
（２−２−１）室内熱交換器２２
室内熱交換器２２は、冷媒と空気の間で熱交換を行う。冷房運転の場合、室内熱交換器２２は吸熱器又は蒸発器として機能する。暖房運転の場合、室内熱交換器２２は放熱器又は凝縮器として機能する。室内熱交換器２２は、分流器２２ａを有する。
【００４９】
（２−２−２）ファン組立体８０
ファン組立体８０は、クロスフローファン２３、クロスフローファンモータ２４を含む。ファン組立体８０の構造については後述する。
【００５０】
（２−２−３）室内制御部２９
室内制御部２９は、室内ユニット２０内のセンサから値を読み取る。さらに、室内制御部２９は、室内ユニット２０内のアクチュエータを制御する。室内制御部２９によって制御されるアクチュエータは、クロスフローファンモータ２４などである。室内制御部２９は、例えば、マイクロコンピュータ及びメモリを含む。室内制御部２９は、図示しない通信線を介して、室外制御部１９と通信することができる。
【００５１】
（２−３）連絡配管３０
連絡配管３０は、室外ユニット１０と室内ユニット２０とを接続する。連絡配管３０は、液連絡配管３１、及びガス連絡配管３２を含む。
【００５２】
（２−３−１）液連絡配管３１
液連絡配管３１は、主に液冷媒又は気液二相冷媒を通過させる。液連絡配管３１は、液閉鎖弁１７に接続される。
【００５３】
（２−３−２）ガス連絡配管３２
ガス連絡配管３２は、主にガス冷媒を通過させる。ガス連絡配管３２は、ガス閉鎖弁１８に接続される。
【００５４】
（３）ファン組立体８０
図２は、第１実施形態に係るファン組立体８０の構造を示す。ファン組立体８０は、クロスフローファン２３、クロスフローファンモータ２４、第１軸受６０、第２軸受７０、を有する。
【００５５】
（３−１）クロスフローファン２３
クロスフローファン２３は、空気流を発生させることによって、室内熱交換器２２における冷媒と空気の間の熱交換を促進する。さらに、クロスフローファン２３は、調和された空気をユーザへ提供する。
【００５６】
クロスフローファン２３は、円筒形状を有する。クロスフローファン２３は、第１端部２３ａ及び第２端部２３ｂを有する。さらに、クロスフローファン２３は、第２端部２３ｂから延びるファン軸２３ｃを有する。
【００５７】
（３−２）クロスフローファンモータ２４
クロスフローファンモータ２４は、クロスフローファン２３を駆動する。クロスフローファンモータ２４は、アウタロータ型モータである。クロスフローファンモータ２４は、ステータ５１、アウタロータ５２、モータ軸５３を有する。
【００５８】
ステータ５１は、コイル巻線を有し、変動する磁界を発生させる。
【００５９】
アウタロータ５２は、ステータ５１の外周を包囲する。アウタロータ５２は、永久磁石を有し、ステータ５１と磁気的に相互作用することによって回転する。アウタロータ５２は、クロスフローファン２３の第１端部２３ａに取り付けられている。アウタロータ５２は、凹部５２ｒを有する。
【００６０】
モータ軸５３は、ステータ５１に固定されており、ステータ５１からクロスフローファン２３に向かって突出する。
【００６１】
（３−３）第１軸受６０
第１軸受６０は、アウタロータ５２を回転可能に支持する。第１軸受６０は、転がり軸受である。第１軸受６０は、内輪６１、外輪６２、転動体６３、第１軸受弾性体６４を有する。第１軸受６０は、凹部５２ｒに収容される。
【００６２】
内輪６１は、円環状の部材である。内輪６１は、モータ軸５３に締まり嵌めによって固定されている。
【００６３】
外輪６２は、円環状の部材である。外輪６２は、内輪６１を包囲する。
【００６４】
転動体６３は、内輪６１及び外輪６２の両方に接触する。転動体６３は、転がることによって、外輪６２の回転を円滑にする。
【００６５】
第１軸受弾性体６４は、弾性を有する部材である。第１軸受弾性体６４は、第１端部２３ａを直接的又は間接的に支持する。図４に示すように、第１軸受弾性体６４はリング形状を有する。図２に示すように、第１軸受弾性体６４は、外輪６２の外周面に接触している。さらに、第１軸受弾性体６４は、アウタロータ５２と接触している。アウタロータ５２は、第１軸受弾性体６４を介して、外輪６２を保持する。
【００６６】
（３−４）第２軸受７０
第２軸受７０は、アウタロータ５２を回転可能に支持する。第２軸受７０は、すべり軸受である。第２軸受７０は、第２軸受本体７５、第２軸受弾性体７４を有する。
【００６７】
第２軸受本体７５は、例えば樹脂を含む。第２軸受本体７５は、ファン軸２３ｃを支持する。ファン軸２３ｃは、第２軸受本体７５の表面をこすりながら回転することができる。
【００６８】
第２軸受弾性体７４は、弾性を有する部材である。第２軸受弾性体７４は、第２端部２３ｂを直接的又は間接的に支持する。第２軸受弾性体は、第２軸受本体７５を支持する。
【００６９】
（４）ファン組立体８０の組立
図３は、ファン組立体８０の組立における一工程を示す。クロスフローファンモータ２４のアウタロータ５２は、まずクロスフローファン２３の第１端部２３ａに取り付けられる。一方、モータ軸５３には、第１軸受６０の内輪６１が締まり嵌め固定されている。「締まり嵌め固定」とは、例えば圧入などの方法によって、一方の部材が他方の部材を締め付ける状態で固定することである。内輪６１の内径は、モータ軸５３の外径に対してほとんどクリアランスを有しない。このモータ軸５３を内輪６１に圧入することによって、締まり嵌め固定が実現する。外輪６２の外周面にはリング形状の第１軸受弾性体６４が２本取り付けられる。
【００７０】
次に、クロスフローファン２３の第１端部２３ａ及びアウタロータ５２に設けられた凹部５２ｒに、第１軸受６０が押し込まれる。凹部５２ｒの内径は、外輪６２の外径よりも僅かに大きく、第１軸受弾性体６４の外径よりも僅かに小さい。第１軸受６０が凹部５２ｒに押し込まれるとき、第１軸受弾性体６４は弾性変形する。第１軸受６０が凹部５２ｒに押し込まれた後、第１軸受弾性体６４は、外輪６２及びアウタロータ５２を共に押す。この押圧力によって、外輪６２及びアウタロータ５２は一緒に回転することができる。
【００７１】
（５）特徴
（５−１）
ファン組立体８０は、第１軸受６０及び第２軸受７０を有する。第１軸受６０は転がり軸受である。したがって、クロスフローファン２３の軸の変位が抑制されるので、騒音が抑制される。
【００７２】
さらに、第２軸受７０は第２軸受弾性体７４によって支持される。したがって、ファン組立体８０の組立てが容易である。
【００７３】
（５−２）
第２軸受７０は、滑り軸受である。したがって、第２軸受７０が転がり軸受である場合と比較して、コストを抑えることができる。
【００７４】
（５−３）
内輪６１はモータ軸５３に固定されている。したがって、第１軸受６０のクロスフローファンモータ２４に対する移動が抑制されるので、騒音が抑制される。
【００７５】
（５−４）
外輪６２は第１軸受弾性体６４を介してアウタロータ５２に固定されている。したがって、外輪６２のアウタロータ５２に対する滑りが抑制されるので、外輪６２の焼き付きが抑制される。
【００７６】
（５−５）
空気調和機１００において、ファン組立体８０のがたつきによる騒音が低減される。
【００７７】
（６）変形例
（６−１）変形例１Ａ
上述の実施形態では、図４に示すように、第１軸受弾性体６４はリング形状を有する。これに代えて、図５に示すように、第１軸受弾性体６４は、円筒形をしていてもよい。
【００７８】
（６−２）変形例１Ｂ
上述の実施形態では、第２軸受７０は、第２軸受本体７５と、第２軸受弾性体７４とを含む。これに代えて、第２軸受７０は、第２軸受本体７５の機能と第２軸受弾性体７４の機能の両方を有する一つの部材を有してもよい。この部材は、例えば樹脂からなる。
【００７９】
（６−３）変形例１Ｃ
（６−３−１）構成
上述の実施形態では、図４に示すように、外輪６２は単一の部材からなる。これに代えて、外輪６２は複数の部材からなってもよい。
【００８０】
図６は、第１実施形態の変形例１Ｃに係るファン組立体８０’の構造を示す。第１実施形態に係るファン組立体８０と同様に、ファン組立体８０’は、クロスフローファン２３、クロスフローファンモータ２４、第１軸受６０、を有する。
【００８１】
クロスフローファンモータ２４は、ステータ５１、アウタロータ５２、モータ軸５３を有する。モータ軸５３は、ステータ５１に固定されており、ステータ５１からクロスフローファン２３に向かって突出する。
【００８２】
図７に示すように、第１軸受６０は、内輪６１、外輪６２、転動体６３、第１軸受弾性体６４を有する。内輪６１は、円環状の部材である。内輪６１は、モータ軸５３に締まり嵌めによって固定されている。転動体６３は、内輪６１及び外輪６２の両方に接触する。外輪６２の軸方向長さは、内輪６１の軸方向長さよりも大きい。
【００８３】
図７に示すように、外輪６２は、第１外輪部材６２１及び第２外輪部材６２２を有する。第１外輪部材６２１は金属製である。図８に示す第２外輪部材６２２は、樹脂製である。第１外輪部材６２１は、転動体６３に接触する。図７に示すように、第２外輪部材６２２は、第１外輪部材６２１を包囲する。第１軸受弾性体６４は、第２外輪部材６３に接触する。第２外輪部材６２２の軸方向長さは、第１外輪部材６２１の軸方向長さよりも大きい。
【００８４】
図９は、第１軸受弾性体６４の外形を示す。第１軸受弾性体６４は、外力の印加を受けるとき、第１軸受弾性体６４の径方向に１ｍｍ以上潰れることができる。
【００８５】
（６−３−２）特徴
第１軸受弾性体６４は、径方向に１ｍｍ以上潰れることができる。したがって、第１軸受６０がモータ軸５３を保持している状態において、第１軸受弾性体６４が振動を効果的に吸収する。
【００８６】
第１軸受弾性体６４は、第１外輪部材６２１を包囲する第２外輪部材６２２に接触する。したがって、第１軸受弾性体６４はモータ軸５３から径方向に離間した場所に位置するので、第１軸受弾性体６４は振動を効果的に吸収する。
【００８７】
第１外輪部材６２１及び第２外輪部材６２２が、それぞれ、金属製及び樹脂製である。したがって、第２外輪部材６２２の重量が軽いので、クロスフローファン２３を回転させるのに必要なトルクが小さい。
【００８８】
＜第２実施形態＞
（１）構成
図１０は、第２実施形態に係るファン組立体８０の構造を示す。ファン組立体８０は、第１実施形態と同様に、クロスフローファン２３、クロスフローファンモータ２４、第１軸受６０、第２軸受７０、を有する。しかしながら、第２実施形態に係るファン組立体８０は、クロスフローファンモータ２４及び第１軸受６０の構造において、第１実施形態とは異なる。
【００８９】
（１−１）クロスフローファンモータ２４
クロスフローファンモータ２４は、アウタロータ型モータである。クロスフローファンモータ２４は、ステータ５１、アウタロータ５２、モータ軸５３を有する。モータ軸５３は、第１実施形態とは異なり、アウタロータ５２に固定されている。モータ軸５３は、アウタロータ５２からステータ５１に向かって突出する。
【００９０】
（１−２）第１軸受６０
第１軸受６０は、転がり軸受である。第１軸受６０は、内輪６１、外輪６２、転動体６３、第１軸受弾性体６４を有する。
【００９１】
内輪６１は、円環状の部材である。内輪６１は、回転可能である。外輪６２は、円環状の部材である。外輪６２は、ステータ５１に締まり嵌め固定されている。転動体６３は、内輪６１及び外輪６２の両方に接触する。転動体６３は、転がることによって、内輪６１の回転を円滑にする。第１軸受弾性体６４は、内輪６１の内周面に接触している。さらに、第１軸受弾性体６４は、モータ軸５３と接触している。
【００９２】
（２）ファン組立体８０の組立
図１１は、ファン組立体８０の組立における一工程を示す。クロスフローファンモータ２４のアウタロータ５２及びモータ軸５３が、まずクロスフローファン２３の第１端部２３ａに取り付けられる。一方、ステータ５１には、第１軸受６０の外輪６２が締まり嵌め固定されている。内輪６１の内周面にはリング形状の第１軸受弾性体６４が２本取り付けられる。
【００９３】
次に、モータ軸５３が、第１軸受６０の内輪６１の中に押し込まれる。モータ軸の外径は、内輪６１の内径より僅かに小さく、第１軸受弾性体６４の内径より僅かに大きい。モータ軸５３が内輪６１に押し込まれるとき、第１軸受弾性体６４は弾性変形する。モータ軸５３が内輪６１に押し込まれた後、第１軸受弾性体６４は、内輪６１及びモータ軸５３を共に押す。この押圧力によって、内輪６１及びモータ軸５３は一緒に回転することができる。
【００９４】
（３）特徴
（３−１）
外輪６２はステータ５１に固定されている。したがって、第１軸受６０のクロスフローファンモータ２４に対する移動が抑制されるので、騒音が抑制される。
【００９５】
（３−２）
内輪６１は第１軸受弾性体６４を介してモータ軸５３に固定されている。したがって、内輪６１のモータ軸５３に対する滑りが抑制されるので、内輪６１の焼き付きが抑制される。
【００９６】
（４）変形例
（４−１）変形例２Ａ
図１２は、第２実施形態の変形例２Ａに係るファン組立体８０の組立における一工程を示す。変形例２Ａにおける一工程は、上述の第２実施形態における一工程とは異なり、２本の第１軸受弾性体６４が、第１軸受６０の内輪６１の内周面ではなく、モータ軸５３に取り付けられる。この後、モータ軸５３及び第１軸受弾性体６４は、第１軸受６０の内輪６１の中に押し込まれる。
【００９７】
この組立方法によっても、外輪６２はステータ５１に固定されているので、第１軸受６０のクロスフローファンモータ２４に対する移動が抑制される。結果として、騒音が抑制される。
【００９８】
（４−２）変形例２Ｂ
第１実施形態の変形例を、第２実施形態に適用してもよい。
【００９９】
＜第３実施形態＞
（１）構成
図１３は、第３実施形態に係るファン組立体８０の構造を示す。ファン組立体８０は、第１実施形態と同様に、クロスフローファン２３、クロスフローファンモータ２４、第１軸受６０、第２軸受７０Ａ、を有する。しかしながら、クロスフローファン２３及び第２軸受７０Ａの構造が、第１実施形態とは異なる。
【０１００】
（１−１）クロスフローファン２３
クロスフローファン２３の第２端部２３ｂには、第２軸受７０Ａを受容する収容部２３ｒが形成されている。第１実施形態と異なり、クロスフローファン２３は、ファン軸２３ｃを有していない。
【０１０１】
（１−２）第２軸受７０Ａ
第２軸受７０Ａは、アウタロータ５２を回転可能に支持する。第２軸受７０Ａは、第１実施形態と異なり、転がり軸受である。第２軸受７０Ａは、内輪７１Ａ、外輪７２Ａ、転動体７３Ａ、第２軸受弾性体７４Ａを有する。
【０１０２】
内輪７１Ａは、円環状の部材である。内輪７１Ａは、室内ユニット２０のケーシングに固定された軸体７９に、締まり嵌めによって固定されている。
【０１０３】
外輪７２Ａは、円環状の部材である。外輪７２Ａは、内輪７１Ａを包囲する。
【０１０４】
転動体７３Ａは、内輪７１Ａ及び外輪７２Ａの両方に接触する。転動体７３Ａは、転がることによって、外輪７２Ａの回転を円滑にする。
【０１０５】
第２軸受弾性体７４Ａは、弾性を有する部材である。第２軸受弾性体７４はリング形状を有する。第２軸受弾性体７４Ａは、外輪７２Ａの外周面に接触している。さらに、第２軸受弾性体７４Ａは、クロスフローファン２３と接触している。第２軸受弾性体７４Ａは、第１軸受弾性体６４よりも柔らかい。クロスフローファン２３は、第２軸受弾性体７４Ａを介して、外輪７２Ａを保持する。
【０１０６】
（２）特徴
（２−１）
第２軸受７０は転がり軸受である。したがって、第２軸受７０が滑り軸受である場合と比較して、ファン組立体８０の寿命が長い。
【０１０７】
（２−２）
第２軸受弾性体７４は、第１軸受弾性体６４よりも柔らかい。したがって、第２軸受弾性体７４が変形するので、ファン組立体８０の組立てが容易である。
【０１０８】
（２−３）
内輪６１はモータ軸５３に締まり嵌め固定されている。したがって、第１軸受６０のクロスフローファンモータ２４に対する移動が抑制されるので、騒音が抑制される。
【０１０９】
（３）変形例
（３−１）変形例３Ａ
図１４は、第３実施形態の変形例３Ａに係るファン組立体８０を示す。このファン組立体８０は、第３実施形態と異なり、クロスフローファン２３はファン軸２３ｃを有する。
【０１１０】
第２軸受７０は転がり軸受である。内輪７１Ａは、ファン軸２３ｃに締まり嵌めによって固定されている。第２軸受弾性体７４Ａは、外輪７２Ａの外周面に接触している。さらに、第２軸受弾性体７４Ａは、室内ユニット２０のケーシングに固定された支持体７９Ｂと接触している。第２軸受弾性体７４Ａは、第１軸受弾性体６４よりも柔らかい。
【０１１１】
この構成によっても、第２軸受７０が転がり軸受であるため、第２軸受７０が滑り軸受である場合と比較して、ファン組立体８０の寿命が長い。
【０１１２】
（３−２）変形例３Ｂ
第１実施形態又は第２実施形態の変形例を、第３実施形態に適用してもよい。
【０１１３】
＜むすび＞
以上、本開示の実施形態を説明したが、特許請求の範囲に記載された本開示の趣旨及び範囲から逸脱することなく、形態や詳細の多様な変更が可能なことが理解されるであろう
【符号の説明】
【０１１４】
１０    ：室外ユニット
２０    ：室内ユニット
２３    ：クロスフローファン
２３ａ  ：第１端部
２３ｂ  ：第２端部
２３ｃ  ：ファン軸
２４    ：クロスフローファンモータ
３０    ：連絡配管
５１    ：ステータ
５２    ：アウタロータ
５３    ：モータ軸
６０    ：第１軸受
６１    ：内輪
６２    ：外輪
６３    ：転動体
６４    ：第１軸受弾性体
７０、７０Ａ    ：第２軸受
７１Ａ  ：内輪
７２Ａ  ：外輪
７３Ａ  ：転動体
７４、７４Ａ    ：第２軸受弾性体
７５    ：第２軸受本体
８０    ：ファン組立体
１００  ：空気調和機
【先行技術文献】
【特許文献】
【０１１５】
【特許文献１】特開２００４−３２４６３３号公報
【図１】
0006978705.tif 000002
【図２】
0006978705.tif 000003
【図３】
0006978705.tif 000004
【図４】
0006978705.tif 000005
【図５】
0006978705.tif 000006
【図６】
0006978705.tif 000007
【図７】
0006978705.tif 000008
【図８】
0006978705.tif 000009
【図９】
0006978705.tif 000010
【図１０】
0006978705.tif 000011
【図１１】
0006978705.tif 000012
【図１２】
0006978705.tif 000013
【図１３】
0006978705.tif 000014
【図１４】
0006978705.tif 000015